(57)【特許請求の範囲】
【請求項１】
モルタルその他の接着材を介してもしくは介さずして互いに接合される各プレキャストコンクリ−トブロックのブロック間接合端面の互いに対向する位置に、該各ブロック内の帯鉄筋にそれぞれ固定させて連結用受金具を埋設し、該連結金具の端部を前記ブロックの前記接合面と交差する側の面に露出させておき、該両連結用受金具に互いに連続する連結材挿入部を設けておき、その互いに対向する両連結用受金具の連結材挿入部にまたがらせて、連結鋼材を挿入して互いに連結するプレキャストコンクリ−トブロックによるコンクリ−ト構造物のブロック間接合方法において、
前記各連結用受金具の連結材挿入部を、プレキャストコンクリ−トブロックのブロック間接合端面に開口させたスリット状の細幅開口部と、該細幅開口部の奥側の拡幅空間部とから構成し、二枚の平行配置のウエブとその両端部を連結して両側面に張り出した突起部からなるフランジを一体に備えたII型鋼材からなる連結用鋼材を連結材挿入部に挿入し、残余の空隙及び前記両ウエブにて囲まれる空際内を充填材で埋めることを特徴としてなるプレキャストコンクリ−トブロックによるコンク−ト構造物のブロック間接合方法。
【発明の詳細な説明】
【０００１】
【発明の属する技術分野】
本発明は、プレキャストコンクリ−トブロック（以下ＰＣａブロックと記す）を連結して、コンクリ−ト構造物を構築する際のブロック間接合方法に関する。
【０００２】
【従来の技術】
一般に、現場打ちで築造される連続壁等の構築物には、外周面と内周面に必要かぶりを保持して帯鉄筋が配置されており、この帯鉄筋はコンクリ−トを拘束することにより、各種のせん断力に対抗して構築物のせん断破壊を防止するものであり、全周にわたって連続させる必要がある。
【０００３】
一方、近年において、大型のボックスカルバ−トや、地中に沈設するオ−プンケ−ソンや立坑、更には地上の橋脚等にあっては、ＰＣａブロックを周方向に複数個連結して筒状の連続壁となす工法が採用されている。
【０００４】
この種のＰＣａブロックによるコンクリ−ト構造物にあっては、特にブロック
間接合部における曲げモ−メレト、面外せん断力及び面内せん断力等の各種の外力に対向させるために、ＰＣａブロック間においてそれぞれの帯鉄筋を連結する必要がある。
【０００５】
この帯鉄筋の連結方法としては、従来、スリ−ブ継手を用いる方法及び楔継手を用いる方法がある。
【０００６】
スリ−ブ継手を使用する方法は、図５に示すように、接合しようとする各ＰＣａブロック１、１の接合端内外面に帯鉄筋２、２の端部を露出させる切欠３を形成しておき、その切欠３内において両ブロック間にて互いに突き合わせ配置の帯鉄筋２、２の端部を一本の鋼製スリ−ブ継手４内に挿入し、該継手４内にエポキシモルタル等の充填材を注入して固化させることにより、帯鉄筋を一体化させ、然る後、切欠を無収縮モルタルで埋めるものである。
【０００７】
また、楔継手を用いる方法は、図６〜図７に示すようにと各ＰＣａブロック１、１の接合端部内外面に各ブロック１毎に帯鉄筋２、２の端部を固定した連結用受金具５、５を埋め込んでおき、接合後、Ｈ型の楔６を両受金具５、５にまたがらせて打ち込むことにより固定するものである。
【０００８】
【発明が解決しようとする課題】
上述の如き、従来の帯鉄筋の連結方法内、スリ−ブ継手を用いる方法では、各ブロックの帯鉄筋の本数だけスリ−ブ継手が必要になるため、継手装着、モルタル注入のための作業工数が多く、しかも、モルタル充填が完全か否かの確認ができず、更に帯鉄筋の高密度化にも限界がある等の問題があった。
【０００９】
また、楔継手を用いる方法は、連結用受金具が大きいため、帯鉄筋の高密度化に大きな制約が伴うという問題があった。
【００１０】
更に、従来の各方法は、いずれも帯鉄筋の連結のみでは接合部分の必要なせん断耐力が得られないため、両ＰＣａブロック間にまたがらせてせん断キ−を設ける必要があった。
【００１１】
本発明は、このような従来の問題に鑑み、せん断キ−の設置と同時に帯鉄筋の連結がなされ、しかも帯鉄筋の高密度化にも十分に対応することができる、プレキャストコンクリ−トブロックによるコンクリ−ト構造物のブロック間接合方法の提供を目的としたものである。
【００１２】
【課題を解決するための手段】
上述の如き、従来の問題を解決し、所期の目的を達成するための本発明の特徴は、モルタルその他の接着材を介してもしくは介さずして互いに接合される各プレキャストコンクリ−トブロックのブロック間接合端面の互いに対向する位置に、該各ブロック内の帯鉄筋にそれぞれ固定させて連結用受金具を埋設し、該連結金具の端部を前記ブロックの前記接合面と交差する側の面に露出させておき、該両連結用受金具に互いに連続する連結材挿入部を設けておき、その互いに対向する両連結用受金具の連結材挿入部にまたがらせて、連結鋼材を挿入して互いに連結するプレキャストコンクリ−トブロックによるコンクリ−ト構造物のブロック間接合方法において、 前記各連結用受金具の連結材挿入部を、プレキャストコンクリ−トブロックのブロック間接合端面に開口させたスリット状の細幅開口部と、該細幅開口部の奥側の拡幅空間部とから構成し、二枚の平行配置のウエブとその両端部を連結して両側面に張り出した突起部からなるフランジを一体に備えたII型鋼材からなる連結用鋼材を連結材挿入部に挿入し、残余の空隙及び前記両ウエブにて囲まれる空際内を充填材で埋めることにある。
【００１３】
【作用】
本発明においては、ＰＣａブロックの内周面及び外周面に配置した多数の帯鉄筋が共通の連結用受金具に連結されているため、ブロック内接合面において互いに対向する連結用受金具を連結鋼材にて連結することにより、同時に多数の帯鉄筋の連結がなされる。
【００１４】
また、連結用受金具間にまたがらせた連結鋼材は、両ＰＣａブロックの接合端面間にまたがって設置されることとなるため、せん断キーの役目を兼用する。
【００１５】
【発明の実施の形態】
次に本発明の実施の形態を図１〜図３について説明する。
【００１６】
図において、１０Ａ，１０Ｂは組立成形されるボックスカルバ−トを二分割した形状にそれぞれ形成したＰＣａブロックである。
【００１７】  各ＰＣａブロック１０Ａ，１０Ｂには、それぞれ内面及び外面に沿ってリング
外周面に多数の内面側帯鉄筋１１ａ，１１ａ及び外周面側帯鉄筋１１ｂ，１１ｂが埋設されている。
【００１８】
一方、各ＰＣａブロック１０Ａ，１０Ｂのそれぞれのブロック間接合面１２Ａ，１２Ｂのブロック内面側及びブロック外面側に、それぞれ、連結用受金具１３ａ，１３ｂがＰＣａブロック全幅にわたって埋設され、その内面側連結用受金具１３ａの外面に各内面側帯鉄筋１１ａ，１１ａの先端が連結され、外面側連結用受金具１３ｂに各外面側帯鉄筋１１ｂ，１１ｂが連結されている。
【００１９】
これらの連結は、各受金具１３ａ，１３ｂに溶接した連結用鉄筋２２に対し、連結部２３を介して連結している。尚、この連結は、溶接、圧接、重ね等の連結の他、継手使用による連結等各種の連結が用いられる。
【００２０】
各連結用受金具１３ａ，１３ｂは、図３に示すように角筒状をした本体部１４の前面側に長手方向に向けて、開口したスリットに沿って一対の張出片部１５、１５を一体に備えた形状に鋼材をもって形成されている。
【００２１】
そしてこれらの受金具１３ａ，１３ｂは、その両張出片部１５、１５の先端縁を各ＰＣａブロック１０Ａ，１０Ｂのブロック間接合面１２Ａ，１２Ｂの表面に露出させた状態で埋設させており、これらの受金具１３ａ，１３ｂによってブロック間接合面１２Ａ，１２Ｂに細幅の開口部１６と、その奥部に連続してこれより幅広の拡幅空間部１７とからなる連結材挿入部１８を各ブロック間接接合面１２Ａ，１２Ｂの全幅にわたって形成している。
【００２２】
また、この連結材挿入部１８の両端を、形成されるリング状のカルバ−トボックス相互間の接合面である両リング間接合面１９、１９に開口させている。
【００２３】
尚、図において２０は各帯鉄筋と直交させた縦筋であり、２１は受金具１３ａ，１３ｂの連結用鉄筋固着面の反対側面に固着したアンカ−鉄筋である。
【００２４】
このようにして連結材挿入部１８を各ＰＣａブロック１０Ａ，１０Ｂに予め形成しておき、ブロック間接合面１２Ａ，１２Ｂを互いに突き合わせてリング状に組み立てる。
【００２５】
組み立に際しては、ブロック間接合面１２Ａ，１２Ｂの接合によって図２に示すように連結用受金具１３ａ，１３ａ及び１３ｂ，１３ｂが互いに対向して接合させ、両接合面１２Ａ，１２Ｂの連結材挿入部１８、１８が互いに連続した状態となす。
【００２６】
このように連続した連結材挿入部１８、１８内に連結鋼材２５をリング内接合面１９側から挿入する。
【００２７】
連結鋼材２５には、２枚の平行ウエブ２６、２６の両端をフランジ２７、２７にて連結したII型鋼材を使用し、両フランジ２７、２７の両縁が連結材挿入部１８の拡幅空間部１６、１６内に位置するようにウエブ２６の幅が選定されて、またフランジ２７の幅は開口部１７の幅より大きいものを使用する。
【００２８】
このようにして連結鋼材２５を連続配置の連結材挿入部１８、１８にまたがらせて挿入した後、該連結材挿入部１８、１８の残余の空際に充填材２８を充填する。充填材２８は両フランジ２７、２７と両ウエブ２６、２６にて囲まれる空際内にも充填し、該充填材２８の固化により連結が完了する。
【００２９】  充填材２８には無収縮モルタル、樹脂モルタル、セメントミルク等、ＰＣａブロック１０Ａ，１０Ｂのコンクリ−トと同等の強度等の性質のものを使用する。
【００３０】
尚、上述の各実施形態では、ボックスカルバ−トを形成する場合について示しているが、この他、地中に沈設するオ−プンケ−ソンや立坑、橋脚基礎、更には地上の橋脚等に使用でき、また角型の他図４に示す如き円形や楕円形等各種のコンクリ−ト構造物の構築に使用でき、かつ二分割の他、多数分割のＰＣａブロック１０Ａ，１０Ｂ，１０Ｃの各接合に使用できる。
【００３１】
また、上述の各実施形態では、ブロック間接合面を直に接合しているが、この他、接合面間にセメントモルタル、樹脂モルタル等のモルタル類やその他の接着材を介在させてもよい。
【００３２】
【発明の効果】
本発明にあっては、モルタルその他の接着材を介してもしくは介さずして互いに接合される各プレキャストコンクリ−トブロックのブロック間接合端面の互いに対向する位置に、該各ブロック内の帯鉄筋にそれぞれ固定させて連結用受金具を埋設し、該連結金具の端部を前記ブロックの前記接合面と交差する側の面に露出させておき、該両連結用受金具に互いに連続する連結材挿入部を設けておき、その互いに対向する両連結用受金具の連結材挿入部にまたがらせて、連結鋼材を挿入して互いに連結するプレキャストコンクリ−トブロックによるコンクリ−ト構造物のブロック間接合方法において、前記各連結用受金具の連結材挿入部を、プレキャストコンクリ−トブロックのブロック間接合端面に開口させたスリット状の細幅開口部と、該細幅開口部の奥側の拡幅空間部とから構成し、二枚の平行配置のウエブとその両端部を連結して両側面に張り出した突起部からなるフランジを一体に備えたII型鋼材からなる連結用鋼材を連結材挿入部に挿入し、残余の空隙及び前記両ウエブにて囲まれる空際内を充填材で埋めるようにしたことにより、ＰＣａブロックの内面側もしくは外面側の同一平面上にある多数の帯鉄筋を共通の連結用受金具に支持させることができ、かつ、その受金具間を連結させることによって、多数の帯鉄筋が同時に連結され、作業性が向上し、確実な連結が容易にでき、かつ、高密度に帯鉄筋が配筋されても支障なく連結がなされる。
【００３３】
また、連結材を両接合面にまたがらせて設置するため、これがせん断キ−の役目をも果たすこととなり、他に特別のせん断キ−の設置が不要となる。
【図面の簡単な説明】
【図１】本発明の第１実施形態のＰＣａブロックによるボックスカルバ−トの組立状態を示す斜視図である。
【図２】同上の接合部連結状態を示す断面図である
【図３】同上の接合部分の各部材の分解斜視図である
【図４】本発明の他の実施形態の斜視図である
【図５】従来例のブロック間接合状態の斜視図である
【図６】他の従来例のブロック間接合状態の斜視図である
【図７】同上の帯鉄筋連結部材の斜視図である
【符号の説明】
１０Ａ，１０Ｂ，１０Ｃ  プレキャストコンク−トブロック
１１ａ，１１ｂ  帯鉄筋
１２Ａ，１２Ｂ  ブロック間接合面
１３ａ，１３ｂ  連結用受金具
１４  本体部
１５  張出片部
１６  開口部
１７  拡幅空間部
１８  連結材挿入部
１９  リング間接合面
２０ａ，２０ｂ  縦筋
２１ａ，２０ｂ  アンカ−鉄筋
２２  連結用鉄筋
２３  連結部
２５  連結鋼材
２６  ウエブ
２７  フランジ
２８  充項材
【図１】
0003793852.tif 000002
【図２】
0003793852.tif 000003
【図３】
0003793852.tif 000004
【図４】
0003793852.tif 000005
【図５】
0003793852.tif 000006
【図６】
0003793852.tif 000007
【図７】
0003793852.tif 000008